(57)【特許請求の範囲】
【請求項１】
台紙の一方向に亘って打ち抜き形成された開口に断面テーパ状の仕切り体を取り付けた紙製仕切りであって、複数の紙製仕切りを上下に位置させて下位の紙製仕切りの仕切り体が上位の紙製仕切りの開口を通ってその上位の紙製仕切りの仕切り体内に入れるようにして重ね合わせ可能に構成されている紙製仕切りにおいて、
前記台紙には、前記一方向に亘る仕切り位置が二つあって、この二つの仕切り位置に形成された前記開口が平行とされているとともに、前記二つの仕切り位置間の距離を、台紙側辺からその台紙側辺側の仕切り位置までの距離より同じか、或いは大きく設けられ、
前記仕切り体が、仕切り体の基部から該仕切り体の長手方向に直交する方向に倒れ込み可能に設けられているとともに、台紙の前記開口の両端部に折り部を設けて、前記台紙側辺からその台紙側辺側の仕切り位置までの部分それぞれが、前記二つの仕切り位置間の部分の裏面側へ折り畳み可能に設けられていることを特徴とする紙製仕切り。
【請求項２】
台紙の一方向に亘って打ち抜き形成された開口に断面テーパ状の仕切り体を取り付けた紙製仕切りであって、複数の紙製仕切りを上下に位置させて下位の紙製仕切りの仕切り体が上位の紙製仕切りの開口を通ってその上位の紙製仕切りの仕切り体内に入れるようにして重ね合わせ可能に構成されている紙製仕切りにおいて、
前記仕切り体の基部側に設けた取り付け片が台紙に貼着され、仕切り体の基部側で前記取り付け片の上方となる位置にして半切れからなる変形部が設けられていて、仕切り体が、仕切り体の基部から該仕切り体の長手方向に直交する方向に倒れ込み可能に設けられているとともに、前記変形部が収納物品と仕切り体との接触で折り曲がり可能とされ、
台紙の前記開口の両端部に折り部を設けて、前記仕切り位置から台紙が折り畳み可能に設けられていることを特徴とする紙製仕切り。
【発明の詳細な説明】
【０００１】
【発明の属する技術分野】
本発明は、包装箱などにセットしてその包装箱に収める収納物を仕切るための紙製仕切りに関するものである。
【０００２】
【発明が解決しようとする課題】
缶詰、缶飲料、ビンや容器に入れた食品などの物品を箱詰めする場合に物品それぞれの位置を定めて箱内で移動しないようにするために、従来から発泡スチロール材からなる仕切り機能と緩衝機能とを有したトレイ部材を使用されてきたが、このようなトレイ部材は焼却処分する際に有害物質を発生し易く、環境破壊を抑止する上で問題視されている。そのため、段ボール紙などの紙材から仕切り機能と緩衝機能とを併せ持つ紙製仕切りが開発されている。
【０００３】
この紙製仕切りは、段ボール紙からなる台紙を仕切り位置で打ち抜いて開口を形成し、この打ち抜き形成された開口に、同じく段ボール紙からなる断面テーパ状の仕切り体を取り付け、前記仕切り体の基部側に半切れ線などの変形部を設けた構造としていて、物品を収め入れるときに物品に押された状態で仕切り体の基部側が折れ曲がりながらその物品を保持するようにしたものである。このように前記紙製仕切りは仕切り機能と緩衝機能とを備えていて、素材が紙材であることから焼却処分を行なう場合でも有害ガスなどの発生させず、環境破壊を抑止する上で有利な仕切りとなっている。
また、上述したように上記紙製仕切りは、台紙の開口にテーパ状の仕切り体を取り付けた構造であり、複数の紙製仕切りを上下に位置させて下位の紙製仕切りの仕切り体が上位の紙製仕切りの開口を通ってその上位の紙製仕切りの仕切り体内に入れるようにして重ね合わせ可能に構成されているものである。これによって、箱詰め作用に際して多量の紙製仕切りを用意する場合でもスタッキング性がよく、管理収納スペースを削減する上でも有利なものとなっている。
【０００４】
ところで、近年においては、ゴミの増大化を抑止する傾向にあり、一般家庭からでる可燃物のゴミにあってもコンパクトなものとなるようにすることが求められるようになってきている。そのため、上記紙製仕切りを用いた贈答品などを受けた側でその仕切りをゴミとして処分する際にも嵩張ることがないようにすることが望まれている。
そこで、本発明は仕切り機能と緩衝機能とを備えた上記紙製仕切りにおいて、簡単に扁平にできるようにすることを課題とし、ゴミの減容化に有利な紙製仕切りを得ることを目的とする。
【０００５】
【課題を解決するための手段】
本発明は上記課題を考慮してなされたもので、台紙の一方向に亘って打ち抜き形成された開口に断面テーパ状の仕切り体を取り付けた紙製仕切りであって、複数の紙製仕切りを上下に位置させて下位の紙製仕切りの仕切り体が上位の紙製仕切りの開口を通ってその上位の紙製仕切りの仕切り体内に入れるようにして重ね合わせ可能に構成されている紙製仕切りにおいて、前記台紙には、前記一方向に亘る仕切り位置が二つあって、この二つの仕切り位置に形成された前記開口が平行とされているとともに、前記二つの仕切り位置間の距離を、台紙側辺からその台紙側辺側の仕切り位置までの距離より同じか、或いは大きく設けられ、前記仕切り体が、仕切り体の基部から該仕切り体の長手方向に直交する方向に倒れ込み可能に設けられているとともに、台紙の前記開口の両端部に折り部を設けて、前記台紙側辺からその台紙側辺側の仕切り位置までの部分それぞれが、前記二つの仕切り位置間の部分の裏面側へ折り畳み可能に設けられていることを特徴とする紙製仕切りを提供して、上記課題を改称するものである。
また、もう一つの発明は、台紙の一方向に亘って打ち抜き形成された開口に断面テーパ状の仕切り体を取り付けた紙製仕切りであって、複数の紙製仕切りを上下に位置させて下位の紙製仕切りの仕切り体が上位の紙製仕切りの開口を通ってその上位の紙製仕切りの仕切り体内に入れるようにして重ね合わせ可能に構成されている紙製仕切りにおいて、前記仕切り体の基部側に設けた取り付け片が台紙に貼着され、仕切り体の基部側で前記取り付け片の上方となる位置にして半切れからなる変形部が設けられていて、仕切り体が、仕切り体の基部から該仕切り体の長手方向に直交する方向に倒れ込み可能に設けられているとともに、前記変形部が収納物品と仕切り体との接触で折り曲がり可能とされ、台紙の前記開口の両端部に折り部を設けて、前記仕切り位置から台紙が折り畳み可能に設けられていることを特徴とする紙製仕切りであり、この発明を提供して上記課題を解消するものである。
【０００６】
【発明の実施の形態】
つぎに本発明を図１から図６に示す実施の形態に基づいて詳細に説明する。
図中１は紙製仕切りで、該紙製仕切り１は、図示しない収納箱の底部側に置くことができるようにその収納箱の内部形状に応じた略方形の段ボール紙製の台紙２と、この台紙２から起立して収納箱の収納空間を仕切る段ボール紙製の複数の仕切り体３とからなるものである。
図２に示すように、上記台紙２にあっては主となる仕切り位置ａに一方向に亘って二つの開口４が打ち抜き形成されていて、この主仕切り位置にある二つの開口４は平行である。そして、台紙２では前記主仕切り位置ａ間の距離を、主仕切り位置ａから台紙側辺までの距離より同じか、或るいは大きくしている。また、前記開口４それぞれに連続するようにしてその開口４とは直交する方向に開口５も打ち抜き形成されていて、開口５それぞれは、主仕切り位置ａで分けられる領域それぞれをさらに細かく分ける副仕切り位置ｂにある。
なお、上記開口４、５それぞれは台紙２の側辺を横断するものではなく、開口４、５の端部は台紙２の側辺に近接した位置に設定されている。
【０００７】
主仕切り位置ａでの開口４の両端部には台紙２の側辺からなる折り部６が設けられていて、そして、主仕切り位置ａの間の距離がその主仕切り位置ａから側辺までの距離より同じか、或るいは大きいことから、後述するように台紙２を主仕切り位置ａから折り畳むことが可能に設けられている。
【０００８】
上記仕切り体３は図３に示されているように断面テーパ状とされ、広がった基部側に取り付け片７を設け、この取り付け片７を上記開口４、５の側辺位置に沿って貼着することによって、開口４、５の位置で上方に凸となるようにして配置され、これによって、収納箱の収納空間を仕切るものとなっている。さらに、仕切り体３の基部側には取り付け片７の折り位置から若干上方となる位置で半切れからなる変形部８が設けられており、物品を収納する際にその物品が仕切り体３に接触すると前記変形部８が折れ曲がった状態で物品を受け止め、仕切り体３の復元力にて物品を押え付けて保持するように設けられている。
上記形状の仕切り体３において、上記主仕切り位置ａに沿っている仕切り体３にあっては、上記変形部８より上位の部分が、開口４の長さ寸法より若干短い長さとされ、副仕切り位置ｂに沿った仕切り体３にあっては、変形部８より上位の部分の一端が開口５の台紙側辺側端部より内方位置にあり、主仕切り位置ａ側の他端が、その主仕切り位置ａに沿った仕切り体３の切り込み部分９に対応位置するように設けられている。これによって、この紙製仕切り１を複数上下に重ね合わせたときには、下位の紙製仕切り１の仕切り体３が、上位の紙製仕切り１の開口４、５を通ってその紙製仕切り１の仕切り体３に入り込み、上下の紙製仕切り１が密な状態でスタッキングされる。なお、中央の列に位置する仕切り体３にあっては、対応する開口５の両端が開口４に連続していることから、その開口５より短寸とする必要は必ずしもない。
【０００９】
上記仕切り体３それぞれの基部における取り付け片７の折り込みと上記変形部８とを備えているため、図４に示すように長手方向に対して直交する方向に倒し込み可能に設けられており、仕切り体３全てを台紙２上に伏せた状態にすることができ、紙製仕切り１を扁平にすることが可能となる。
また、台紙２において、開口４の両端部となる折り部６を折るようにして、図６に示すように台紙側辺からその台紙側辺側の主仕切り位置ａまでの部分それぞれが、二つの仕切り位置ａ間の部分の台紙裏面側へと折り畳むことができ、副仕切り位置ｂにある仕切り体３それぞれを倒し込んだ状態にして台紙２を折り畳めば、主仕切り位置ａの仕切り体３が側方に位置した状態で扁平化できるものである。
このように、仕切り体３を全て折り倒すようにすることで、紙製仕切り１が扁平になるとともに、副仕切り位置ｂの仕切り体３を倒し込んで台紙２を折り重ねるすることでも、この紙製仕切り１を扁平にすることができ、不要となったこの紙製仕切り１を廃棄する場合には簡単に扁平にしてゴミの減容化が図れる。
【００１０】
【発明の効果】
以上説明したように、本発明の紙製仕切りによって、紙製仕切りが不要となった場合、台紙の一方向に亘って打ち抜き形成された開口の位置に沿って台紙を、仕切り体がある側とは反対側に折り畳むことができ、全体をコンパクトにすることができる。そして、前記開口と直交する方向に位置している仕切り体が存在していても、その仕切り体自体も倒し込みできるため、折り畳んだ紙製仕切りの扁平化が簡単であるなど、実用性に優れた効果を奏するものである。
【図面の簡単な説明】
【図１】  本発明に係る紙製仕切りの一例を示す説明図である。
【図２】  一例を台紙裏面側から示す説明図である。
【図３】  一例における仕切り体を断面で示す説明図である。
【図４】  仕切り体の倒し込みを示す説明図である。
【図５】  仕切り体を倒し込んだ状態を示す説明図である。
【図６】  台紙を折り畳んだ状態を示す説明図である。
【符号の説明】
１…紙製仕切り
２…台紙
３…仕切り体
ａ…主仕切り位置
ｂ…副仕切り位置
４…開口（主仕切り位置）
５…開口（副仕切り位置）
６…折り部
７…取り付け片
８…変形部
９…切り込み部
【図１】
0004085575.tif 000002
【図２】
0004085575.tif 000003
【図３】
0004085575.tif 000004
【図４】
0004085575.tif 000005
【図５】
0004085575.tif 000006
【図６】
0004085575.tif 000007